(57)【特許請求の範囲】
【請求項１】
棚板と、
いずれも左右方向に延び、互いに前後方向に間隔を隔てて配置された前レール、中レールおよび後レールと、前後方向に延びるとともに互いに左右方向に間隔を隔てて配置され、前記前レール、中レールおよび後レールを連結する複数の連結部材と、を有し、前記前レールおよび後レールが前記棚板に載置されるとともに、前記中レールが前記複数の連結部材に載置された状態でこれらに連結された鍵盤シャーシと、
前記中レールの長さ方向に沿って延び、これに載置した状態で取り付けられ、複数のバランスピンが前記中レールの長さ方向に並んだ状態で立設された筬中と、
各々が、前後方向に延び、前後方向の所定位置に形成されたバランスピン孔を介して前記バランスピンに係合し、当該バランスピンを支点として前記筬中に揺動自在に支持されるとともに、左右方向に並んだ状態に配置された複数の鍵と、
を備え、
前記中レールは、
当該中レールの長さ方向に沿って延び、前記筬中を載置するとともに前記複数の連結部材に載置された状態で連結された筬中載置部と、
隣り合う前記連結部材の間において、前記中レールの長さ方向に沿って延びるとともに前記筬中載置部から垂下し、前記棚板に当接するように構成され、前記筬中載置部の剛性を補強するための脚部と、
を有していることを特徴とする電子鍵盤楽器の鍵盤装置。
【発明の詳細な説明】
【技術分野】
【０００１】
本発明は、電子ピアノなどの電子鍵盤楽器に適用される鍵盤装置に関する。
【背景技術】
【０００２】
従来、電子ピアノの鍵盤装置として、例えば本出願人がすでに出願した特許文献１に開示されたものが知られている。この鍵盤装置は、いずれも左右方向に延びる前後２つのシャーシ（前方シャーシおよび後方シャーシ）、および前後方向に延びるとともに左右方向に間隔を隔てて配置され、両シャーシを連結する複数の金属補強梁で構成された鍵盤シャーシと、この鍵盤シャーシに下方から支持され、各々が前後方向に延びるとともに左右方向に並んだ状態に配置された複数の鍵とを備えている。
【０００３】
鍵盤シャーシの前方シャーシには、その前部および後部にそれぞれ、左右方向に延びる筬前および筬中が固定されている。筬前および筬中にはそれぞれ、複数のフロントピンおよびバランスピンが、左右方向に並んだ状態で立設されている。各鍵の前端部には、下方に開口し、フロントピンに係合するフロントピン孔が形成され、中央部には、バランスピンが貫通した状態で係合するバランスピン孔が形成されている。これにより、各鍵は、フロントピンで左右方向のぶれが防止された状態で、バランスピンを支点として、筬中に揺動自在に支持されている。
【先行技術文献】
【特許文献】
【０００４】
【特許文献１】実用新案登録第２５５０１０２号公報
【発明の概要】
【発明が解決しようとする課題】
【０００５】
上記のように構成される鍵盤装置では、電子ピアノの設計変更などに伴い、鍵の長さが変更される場合、前方シャーシ、後方シャーシ、筬前および筬中を設計変更の前後で共通化し、両シャーシを連結する金属補強梁を鍵の長さに応じて作製することにより、設計変更後の製造コストの上昇を抑制することが可能である。しかし、この鍵盤装置では、前方シャーシに筬前および筬中が固定されているため、各鍵のフロントピン孔とバランスピン孔の間の距離が、フロントピンを立設した筬前と、バランスピンを立設した筬中との距離によって、決まってしまう。このため、例えば、鍵の揺動の支点よりも前側の長さについては、前方シャーシの前後方向の寸法の範囲内でしか設定することができず、鍵盤装置の設計の自由度が十分とはいえない。
【０００６】
また、前方シャーシの筬中の周囲は、各金属補強梁によって下方から支持されているものの、隣り合う金属補強梁同士の間では、鍵盤シャーシが載置される棚板から浮いた状態になっている。このため、例えば、電子ピアノを移動させる際に、誤って床に落とすことなどによって、衝撃が与えられると、前方シャーシの筬中の周囲において、隣り合う金属補強梁同士の間が下方に撓み、永久変形が生じるおそれがある。この場合、その箇所の筬中に支持された鍵は、他の鍵に比べて下がってしまい、鍵の高さが不揃いになってしまう。また、鍵が強く打鍵されると、筬中が上下方向に振動することがあり、その場合には、鍵のタッチ感が悪くなるという問題もある。したがって、上記の鍵盤装置には、改善の余地がある。
【０００７】
本発明は、以上のような課題を解決するためになされたものであり、鍵の長さや揺動の支点位置の変更などに柔軟に対応し、設計の自由度を向上させることができ、また、筬中を安定した状態に保持できることによって、それに支持される複数の鍵の高さの均一性および良好なタッチ感を維持することができる電子鍵盤楽器の鍵盤装置を提供することを目的とする。
【課題を解決するための手段】
【０００８】
上記の目的を達成するために、請求項１に係る発明は、棚板と、いずれも左右方向に延び、互いに前後方向に間隔を隔てて配置された前レール、中レールおよび後レールと、前後方向に延びるとともに互いに左右方向に間隔を隔てて配置され、前レール、中レールおよび後レールを連結する複数の連結部材と、を有し、前レールおよび後レールが棚板に載置されるとともに、中レールが複数の連結部材に載置された状態でこれらに連結された鍵盤シャーシと、中レールの長さ方向に沿って延び、これに載置した状態で取り付けられ、複数のバランスピンが中レールの長さ方向に並んだ状態で立設された筬中と、各々が、前後方向に延び、前後方向の所定位置に形成されたバランスピン孔を介してバランスピンに係合し、バランスピンを支点として筬中に揺動自在に支持されるとともに、左右方向に並んだ状態に配置された複数の鍵と、を備え、中レールは、中レールの長さ方向に沿って延び、筬中を載置するとともに複数の連結部材に載置された状態で連結された筬中載置部と、隣り合う連結部材の間において、中レールの長さ方向に沿って延びるとともに筬中載置部から垂下し、棚板に当接するように構成され、筬中載置部の剛性を補強するための脚部と、を有していることを特徴とする。
【０００９】
この構成によれば、鍵盤シャーシは、いずれも左右方向に延びる前レール、中レールおよび後レールを、前後方向に延びる複数の連結部材で連結することによって構成される。また、中レールには、その長さ方向に沿って延びる筬中が、載置した状態で取り付けられ、この筬中に、複数のバランスピンが中レールの長さ方向に並んだ状態で立設される。そして、左右方向に並んだ状態に配置された複数の鍵は、各々が、バランスピン孔を介してバランスピンに係合し、筬中に揺動自在に支持される。
【００１０】
このように構成される鍵盤装置において、電子鍵盤楽器の機種変更などの設計変更に伴い、鍵の長さが変更される場合、前レール、中レール、後レールおよび筬中を、設計変更の前後で共通化し、連結部材を鍵の長さに応じて作製することにより、設計変更後の製造コストの上昇を抑制することができる。また、前レール、中レールおよび後レールが互いに独立しているので、それらのレールの前後方向の間隔を自由に設定できるとともに、中レールに取り付けられた筬中の位置を、前レールと後レールの間で、自由に設定することができる。したがって、本発明によれば、鍵の長さや揺動の支点位置の変更などに柔軟に対応し、設計の自由度を向上させることができる。
【００１２】
また、上記の構成によれば、筬中が、複数の連結部材に載置された状態で連結された筬中載置部に載置され、隣り合う連結部材の間において、筬中載置部から垂下する脚部が、棚板に当接する。この脚部により、筬中載置部の剛性を補強するとともに、棚板との間のスペースを一定に保ちながら、筬中載置部に載置された筬中を、安定した状態に保持することができる。これにより、筬中に支持される複数の鍵の高さの均一性および良好なタッチ感を維持することができる。
【図面の簡単な説明】
【００１３】
【図１】本発明の一実施形態による鍵盤装置を適用した電子ピアノの鍵盤装置を、一部を切り欠いた状態で示す側面図である。
【図２】鍵盤シャーシを、一部を切り欠いた状態で示す平面図である。
【図３】リブを示す斜視図である。
【図４】ハンマーサポートを示す斜視図であり、（ａ）は、１オクターブ分のハンマーサポート全体を示し、（ｂ）は、一部を切り欠いた状態を示す。
【図５】ハンマーサポートを示す図であり、（ａ）は平面図、（ｂ）は正面図である。
【図６】ハンマーサポートに、ハンマー、レットオフ部品および鍵スイッチを取り付けた状態、ならびに鍵スイッチを取り外した状態を示す側断面図である。
【図７】ハンマーサポート同士を連結する複数の連結板を、補強金具で連結した状態を示す側面図である。
【発明を実施するための形態】
【００１４】
以下、図面を参照しながら、本発明の好ましい実施形態を詳細に説明する。図１は、本発明の一実施形態による電子ピアノの鍵盤装置を、離鍵状態において示している。
【００１５】
同図に示すように、鍵盤装置１は、電子ピアノの左右方向（図１の表裏方向）に並んだ多数の鍵２（白鍵２ａおよび黒鍵２ｂを各１つのみ図示）と、これらの鍵２を支持する鍵盤シャーシ３と、この鍵盤シャーシ３の後端部（図１の右端部）に連結されたハンマーサポート４と、鍵２ごとに設けられ、押鍵された鍵２に連動して回動する多数のハンマー５（１つのみ図示）と、ハンマー５ごとに設けられ、鍵２の押鍵時にレットオフ感を付与するための多数のレットオフ部品６（１つのみ図示）と、鍵２の押鍵情報を検出するための鍵スイッチ７などで構成されている。
【００１６】
図１および図２に示すように、鍵盤シャーシ３は、いずれも左右方向に延び、互いに前後方向（図１の左右方向、図２の上下方向）に所定間隔を隔てて配置された前レール１１、中レール１２および後レール１３から成る３本の支持レール１０と、前後方向に延び、互いに左右方向に所定間隔を隔てて配置された複数本（例えば５本）の補強用のリブ１４（図１では１本、図２では２本のみ図示）とを、井桁状に組み立てたものであり、棚板８上に固定されている。これらの支持レール１０およびリブ１４はいずれも、プレスによる打抜きおよび折曲げ加工によって所定の形状に形成された鉄板で構成され、ねじ止めによって互いに連結されている。なお、支持レール１０の板厚は、その軽量化のためにより薄く（例えば１．０ｍｍ）、リブ１４の板厚は、補強のためにより厚く（例えば１．６ｍｍ）設定されている。
【００１７】
図１に示すように、前レール１１は、水平な天板部１１ａと、この天板部１１ａの前端部から下方に直角に屈曲する前板部１１ｂと、この前板部１１ｂの下端部から後方に直角に屈曲する底板部１１ｃとを有している。なお、天板部１１ａは、後端部が下方に直角に屈曲されており、底板部１１ｃは、前後方向の寸法が天板部１１ａのそれよりも短く形成されている。
【００１８】
天板部１１ａの下面には、筬前２１がねじ止めなどによって固定されている。筬前２１は、所定種類の合成樹脂（例えばポリスチレン）から成る肉厚の板状に形成され、前レール１１の全体にわたって左右方向に延びている。この筬前２１には、白鍵２ａおよび黒鍵２ｂに対応する前後の位置に、多数のフロントピン２２が、前レール１１の天板部１１ａを貫通するとともに左右方向に並んだ状態で立設されている。なお、筬前２１は、複数の射出成形品から成り、それらが左右方向に連結されることによって構成されている。
【００１９】
中レール１２は、水平な筬中載置部１２ａと、その前端部から直角に屈曲し、下方に所定長さ延びる脚部１２ｂとを有している。なお、筬中載置部１２ａの後端部は、上方に直角に屈曲されている。
【００２０】
筬中載置部１２ａには、筬中２３が載置された状態で、ねじ止めなどによって固定されている。筬中２３は、所定種類の合成樹脂（例えばポリスチレン）から成る肉厚の板状に形成され、中レール１２の全体にわたって左右方向に延びている。この筬中２３には、白鍵２ａおよび黒鍵２ｂに対応する前後の位置に、多数のバランスピン２４が、左右方向に並んだ状態で立設されている。なお、筬中２３は、最大で１オクターブ分に対応する複数の射出成形品から成り、図２に示すように、これらが互いに近接し、左右方向に並ぶように配置されている。
【００２１】
図１に示すように、脚部１２ｂは、その下端部に取り付けられたクッション１２ｃを介して、棚板８に当接している。また、脚部１２ｂには、複数のリブ１４のいずれにも干渉しないよう、それらのリブ１４に対応する位置にそれぞれ、下方に開放する凹部（図示せず）が形成されている。つまり、脚部１２ｂは、隣り合うリブ１４、１４間にわたって左右方向に延びた状態で、その下端部全体が棚板８に当接している。
【００２２】
後レール１３は、上方に開放し、ハンマーサポート４の下端部を収容した状態でこれに係合する収容凹部１３ａと、この収容凹部１３ａの前側上端部から前方に延びる連結部１３ｂとを有している。収容凹部１３ａの前板部には、前後方向に貫通するねじ孔が形成されており、ハンマーサポート４の前壁部３５がねじ止めされている。収容凹部１３ａの底部には、後レール１３の長さ方向の所定位置に、ハンマーサポート４の底壁部３６に係合する複数の係合凸部１３ｃ（図１では１つ、図２では４つのみ図示）が形成されている。各係合凸部１３ｃには、上下方向に貫通するねじ孔が形成されており、ハンマーサポート４の底壁部３６が係合凸部１３ｃにねじ止めされている。また、収容凹部１３ａおよび連結部１３ｂは、後述するように、各リブ１４の後端部にねじ止めされている。
【００２３】
図３に示すように、リブ１４は、前後方向に所定長さ延びるとともにＬ字状の横断面を有している。リブ１４の前部には、前レール１１に対応し、右方に直角に折曲げ加工された前後２つの折曲げ部１５、１５が設けられ、それぞれの所定位置にねじ孔１５ａ、１５ａが形成されている。また、リブ１４の中央部には、中レール１２に対応し、右方に直角に折曲げ加工された前後２つの折曲げ部１６、１７が設けられ、それぞれの所定位置にねじ孔１６ａ、１７ａが形成されている。さらに、リブ１４の後部には、後レール１３に対応し、右方に直角に折曲げ加工された折曲げ部１８、１９が設けられ、それぞれの所定位置にねじ孔１８ａ、１９ａが形成されている。リブ１４の後端部の折曲げ部１９は、他の折曲げ部１５〜１８と異なり、鉛直軸線を境として折り曲げられている。
【００２４】
また、リブ１４の前側および中央の折曲げ部１５、１６には、ねじ孔１５ａ、１６ａの付近に、ハーフパンチによって上方に若干突出する凸部１５ｂ、１６ｂが形成されている。これらの凸部１５ｂ、１６ｂは、前レール１１および中レール１２とリブ１４とを連結する際に、それらのレール１１、１２の所定位置に形成された孔に係合する。これにより、前レール１１および中レール１２とリブ１４とを容易に位置決めできるとともに、ねじ止めする際に、リブ１４が前レール１１や中レール１２に対して回ることがなく、それらを効率よく連結することができる。
【００２５】
また、リブ１４の後部の折曲げ部１８、１９には、後レール１３が次のようにねじ止めされている。すなわち、図１に示すように、折曲げ部１８には、後レール１３の連結部１３ｂが、上下に重なった状態で、上下方向に延びる軸線に沿って、ねじ２０ａでねじ止めされている。また、折曲げ部１９には、後レール１３の収容凹部１３ａの前板部が前後に重なった状態で、ハンマーサポート４の下部の前壁部３５とともに、前後方向に延びる軸線に沿って、ねじ２０ｂでねじ止めされている。
【００２６】
上記のねじ止めにより、後レール１３は、上下方向および前後方向の互いに異なる２方向から、リブ１４に対してねじ止めされている。例えば、後レール１３がリブ１４に対し１方向のみによってねじ止めされる場合、後述するように、回動するハンマー５がハンマーストッパ６１に当接することで、荷重が作用すると、後レール１３は、ねじ止めされた箇所を支点として撓むおそれがある。このため、上記のように、後レール１３をリブ１４に対して、互いに異なる２方向からねじ止めすることにより、上記のような撓みを防止でき、ハンマー５の回動を安定して規制することができる。
【００２７】
鍵２は、前後方向に延びるとともに矩形状の横断面を有する木製の鍵本体２５と、その前部の上面および前面に接着された合成樹脂製の鍵カバー２６で構成されている。鍵本体２５の中央よりも後ろ側には、バランスピン２４が貫通した状態で、これに係合するバランスピン孔２７が形成されており、鍵２は、バランスピン２４を支点として筬中２３に揺動自在に支持されている。また、鍵本体２５の前端部には、フロントピン孔２８が形成されており、このフロントピン孔２８がフロントピン２２に係合することによって、鍵２が揺動する際の左右方向のぶれが防止される。
【００２８】
ハンマーサポート４は、所定種類の合成樹脂（例えばＡＢＳ樹脂）から成る射出成形品で構成され、最大で１オクターブ分に対応する複数の成形品を互いに連結したものであり、すべてのハンマー５にわたるように左右方向に延びている。図１に示すように、ハンマーサポート４は、後レール１３から直立するハンマー支持部２９と、その上端部から前方に斜め上がりに延びるスイッチ取付部３０などで構成されている。ハンマー支持部２９の上端部には、各ハンマー５を支持するための水平なピン状の支点軸部３１が形成されている。
【００２９】
図４および図５は、１オクターブ分のハンマーサポート４を示している。両図に示すように、このハンマーサポート４は、互いに左右方向に所定間隔を隔てた状態で、隣り合うハンマー５を仕切る複数の仕切壁３２を有している。各仕切壁３２は、前記ハンマー支持部２９に対応し、側面形状が縦長のほぼ長方形状に形成された方形壁３３と、前記スイッチ取付部３０に対応し、方形壁３３の上部前端に連なりかつ側面形状がほぼ三角形状に形成された三角壁３４とで構成されている。そして、このハンマーサポート４において、すべての方形壁３３は、その下部の前端部および下端部、ならびに上部の後端部がそれぞれ、前壁部３５、底壁部３６および背壁部３７を介して、左右方向に連なっている。一方、すべての三角壁３４は、その上部の前半部が、上壁部３８を介して、左右方向に連なっている。
【００３０】
前述したように、前壁部３５は、後レール１３の収容凹部１３ａの前板部にねじ止めされている。また、底壁部３６は、後レール１３の収容凹部１３ａに、係合凸部１３ｃを介してねじ止めされている。上記のねじ止めにより、ハンマーサポート４は、上下方向および前後方向の互いに異なる２方向から、後レール１３に対してねじ止めされている。例えば、ハンマーサポート４が後レール１３に対し１方向のみによってねじ止めされる場合、後述するように、回動するハンマー５がハンマーストッパ６１に当接することで、荷重が作用すると、ハンマーサポート４は、ねじ止めされた箇所を支点として撓むおそれがある。このため、上記のように、ハンマーサポート４を後レール１３に対して、互いに異なる２方向からねじ止めすることにより、上記のような撓みを防止でき、ハンマー５の回動を安定して規制することができる。
【００３１】
背壁部３７の前面上端部には、方形壁３３の上端付近に適宜、斜め上前方に突出する複数の基板係止部３７ａが突設されている。これらの基板係止部３７ａと各方形壁３３との間に、鍵スイッチ７の後述するスイッチ基板５９の後端部が差し込まれた状態で係止される。
【００３２】
上壁部３８には、その上面前端部に、ねじ孔４１ａを有しかつ上方に所定長さ突出する複数のねじ止め部４１が設けられる一方、上面後端部に、上方に所定長さ突出する複数の基板支持部４２が設けられている。各基板支持部４２は、左右方向に若干間隔を隔てた一対の突起で構成され、両突起の間にねじ孔４２ａが形成されている。また、上壁部３８には、隣り合う仕切壁３２、３２（三角壁３４、３４）の間にそれぞれ、前記レットオフ部品６を取り付けるための複数の取付孔４３が形成されている。なお、上壁部３８の各取付孔４３の後方に形成された開口４４は、ハンマー５が上方に回動したときに、レットオフ部品６に係合するハンマー５の後述する係合突起５７が、上壁部３８に当たるのを回避するためのものである。
【００３３】
また、隣り合う仕切壁３２、３２間にはそれぞれ、方形壁３３と三角壁３４が連なる部分に、左右方向に延びる前記支点軸部３１が設けられている。これらの支点軸部３１は、左右方向に水平に延びる軸線に沿って一直線状に配置され、各支点軸部３１にハンマー５が回動自在に支持されている。
【００３４】
以上のように構成されたハンマーサポート４は、互いに左右方向に隣接した状態に配置され、これらの全体にわたって左右方向に延びる金属製の２つの連結板４５、４６を介して、連結されている。具体的には、両連結板４５、４６はいずれも、Ｌ字状の横断面を有しており、連結板４５によってハンマーサポート４の上壁部３８同士が、連結板４６によってハンマーサポート４の背壁部３７同士が、ねじ止めなどによって連結されている。
【００３５】
図１に示すように、ハンマー５は、前後方向に延びるアーム状のハンマー本体５２と、その左右の側面の前端部に取り付けられた錘板５３（１つのみ図示）とを有している。ハンマー本体５２は合成樹脂で構成され、錘板５３は、比重が比較的大きな鉄などの金属材料で構成されている。ハンマー本体５２の後端部には、円弧状の軸穴５４が形成されており、ハンマー５は、この軸穴５４が支点軸部３１に係合することによって、ハンマーサポート４に回動自在に支持されている。
【００３６】
また、ハンマー本体５２の下面には、軸穴５４のすぐ前側の位置に、キャプスタンスクリュー５５が進退自在にねじ込まれている。ハンマー５は、このキャプスタンスクリュー５５を介して、鍵２の後端部に載置されている。また、ハンマー本体５２の上面の軸穴５４とキャプスタンスクリュー５５との間の部分は、押鍵時に鍵スイッチ７を作動させるためのアクチュエータ部５６になっている。さらに、ハンマー本体５２の上面の前後方向の中央には、押鍵時にレットオフ部品６に係合する板状の係合突起５７が設けられている。
【００３７】
レットオフ部品６は、所定の弾性材料（例えば、スチレン系の熱可塑性エラストマーなど）の成形品で構成されており、ハンマーサポート４のスイッチ取付部３０に取り付けられている。レットオフ部品６は、スイッチ取付部３０から後ろ下がりに斜めに延びており、その先端部には、くびれ部を介して頭部５８が形成されている。この頭部５８は、離鍵状態において、ハンマー５の係合突起５７に対向している。
【００３８】
また、鍵スイッチ７は、プリント基板から成るスイッチ基板５９と、このスイッチ基板５９の下面に、鍵２ごとに設けられたゴムスイッチから成る多数のスイッチ本体６０（１つのみ図示）で構成されている。なお、スイッチ基板５９にはスイッチ本体６０ごとに複数の固定接点（図示せず）が設けられる一方、各スイッチ本体６０には、それらの固定接点を接続するための複数の可動接点（図示せず）が設けられている。
【００３９】
また、ハンマーサポート４の上壁部３８には、その前端部下面に、発泡ウレタンなどで構成されたハンマーストッパ６１が設けられている。このハンマーストッパ６１により、ハンマー５の上方への回動が規制される。
【００４０】
図６は、ハンマーサポート４に、ハンマー５、レットオフ部品６および鍵スイッチ７を取り付けた状態、および鍵スイッチ７の取付け前の状態を、拡大して示している。同図に示すように、鍵スイッチ７は、ハンマーサポート４のスイッチ取付部３０の上面に載置された状態で取り付けられている。
【００４１】
具体的には、鍵スイッチ７のスイッチ基板５９は、前述したように、後端部（図６の右端部）が背壁部３７の基板係止部３７ａと方形壁３３との間に差し込まれた状態で係止され、中央部が上壁部３８の基板支持部４２に載置され、前端部が上壁部３８のねじ止め部４１に載置されている。また、スイッチ基板５９の前端部および中央部には、ハンマーサポート４側の各ねじ孔４１ａ、４２ａに対応する位置にそれぞれ、取付孔５９ａ、５９ａが形成されており、それらの取付孔５９ａを介して、ねじ６２がねじ止め部４１のねじ孔４１ａおよび基板支持部４２のねじ孔４２ａに上方からねじ込まれている。さらに、鍵スイッチ７の各スイッチ本体６０は、対応するハンマー５の両側の仕切壁３２、３２、背壁部３７および上壁部３８によって上下方向に貫通するように画成された開口５０（図４および図５参照）を介して、ハンマー５のアクチュエータ部５６に上方から臨み、これに微小な隙間を介して対抗している。
【００４２】
また、図７に示すように、ハンマーサポート４の外側に、金属製の複数の補強部材６３（１つのみ図示）を設け、これらによって、ハンマーサポート４の剛性を補強するようにしてもよい。各補強部材６３は、プレスによる打抜きおよび折曲げ加工により、ハンマーサポート４のハンマー支持部２９およびスイッチ取付部３０の外側にほぼ沿うような所定形状に形成された鉄板で構成されている。そして、補強部材６３は、例えば、左右方向に連結された複数のハンマーサポート４の左右両端部に配置される。なお、これに加えて、両側の補強部材６３、６３の間に適宜、配置することも可能である。
【００４３】
補強部材６３の上端部６３ａは、連結板４５に接した状態で、これとともにハンマーサポート４の上壁部３８にねじ止めされる。また、補強部材６３の中央部６３ｂは、連結板４６に接した状態で、これとともにハンマーサポート４の背壁部３７にねじ止めされる。さらに、補強部材６３の下端部６３ｃは、後レール１３の収容凹部１３ａにねじ止めされる。
【００４４】
したがって、両連結板４５、４６によって、複数のハンマーサポート４をしっかりと連結できるとともに、それらの剛性を補強することができ、さらに複数の補強部材６３によっても、ハンマーサポート４の剛性を補強することができる。また、これらの連結板４５、４６および複数の補強部材６３によるハンマーサポート４の補強によって、例えば、電子ピアノの運搬時などに、鍵盤装置１を立てた状態で、炎天下の車中に長時間放置された場合であっても、合成樹脂製のハンマーサポート４の熱変形による不具合を防止することができる。
【００４５】
また、各補強部材６３は、次のようにアースされている。すなわち、棚板８上の全面には、アルミ箔などの導電紙（図示せず）が貼付されており、この導電紙上に鍵盤シャーシ３が載置されるとともに、導電紙が導電線６４を介してアースされている。したがって、各補強部材６３は、鍵盤シャーシ３の後レール１３および導電紙を介してアースされ、複数のハンマーサポート４を連結する金属製の２つの連結板４５、４６も、補強部材６３を介してアースされている。
【００４６】
これにより、電子ピアノ内において、鍵盤装置１の付近に多数の電子部品を有するコンピュータ（図示せず）が設置されている場合、そのコンピュータの電子部品が発する電磁波を、連結板４５、４６がアンテナとして外部に放射するのを抑制することができる。その結果、電子ピアノの周囲に存在する電子機器などへの影響を防止することができる。
【００４７】
次に、以上のように構成された鍵盤装置１の動作について説明する。図１に示す離鍵状態から鍵２が押鍵されると、鍵２は、バランスピン２４を中心として、同図の反時計方向に回動し、それに伴い、ハンマー５は、キャプスタンスクリュー５５を介して押し上げられ、支点軸部３１を中心として、上方（同図の時計方向）に回動する。
【００４８】
このハンマー５の回動の途中で、その係合突起５７が、レットオフ部品６の頭部５８に係合し、頭部５８を介してレットオフ部品６を圧縮させながら押圧することにより、レットオフ部品６からハンマー５に作用する反力が増大する。ハンマー５の回動が進むと、係合突起５７が頭部５８から外れることで、レットオフ部品６からの反力が急激に消失する。このようなレットオフ部品６の反力の増大と消失によって、アコースティックピアノに近似したレットオフ感が得られる。
【００４９】
その後、ハンマー５がハンマーストッパ６１に当接することによって、ハンマー５の上方への回動が終了する。また、ハンマー５の上方への回動の間、そのアクチュエータ部５６が鍵スイッチ７のスイッチ本体６０を押圧し、鍵スイッチ７をＯＮすることによって、ハンマー５の回動量に応じた鍵２の押鍵情報が検出され、発音制御装置（図示せず）に出力される。そして、この発音制御装置により、検出された押鍵情報に基づいて、電子ピアノの発音が制御される。
【００５０】
その後、鍵２が離鍵されると、鍵２は押鍵時と反対方向に回動し、図１に示す離鍵状態に復帰し、それに伴い、ハンマー５も、下方に回動し、離鍵状態に復帰する。
【００５１】
以上詳述したように、本実施形態の鍵盤装置１によれば、複数の鍵２は、剛性や保形性が高い金属製の鍵盤シャーシ３に取り付けられた筬中２３に支持され、しかもその筬中２３が、経時的あるいは乾湿などに対する保形性が高い合成樹脂で構成されているので、鍵盤シャーシや筬中を木材などで構成する場合に比べて、複数の鍵２を、長期間にわたり、互いに高さや姿勢などが均一に揃った状態に安定して保持することができる。
【００５２】
また、ハンマー５を支持するハンマーサポート４は、合成樹脂から成る射出成形品で構成されているので、それ自体を高い寸法精度で成形することができる。このような高い寸法精度を有するハンマーサポート４によって、ハンマー５と鍵スイッチ７との位置関係を高精度で設定することができ、それにより、押鍵情報を適切に検出でき、それに基づく良好な発音を確保することができる。また、ハンマーサポート４の複数の支点軸部３１が、左右方向に水平に延びる軸線に沿って一直線状に配置されているので、これらに係合する複数のハンマー５を、左右方向に均一に揃えた状態で配置することができる。また、隣り合う支点軸部３１、３１の間にそれぞれ形成された多数の仕切壁３２によって、剛性の高いハンマーサポート４を得ることができ、ハンマー５の回動を安定して支持することができる。
【００５３】
また、最大で１オクターブ分に対応する複数のハンマーサポート４によって、鍵盤装置１全体のハンマーサポートを構成するので、従来の長尺でかつ重いアルミニウム製の単一のハンマーレールに比べて、鍵盤装置１の製造時の取り扱いが容易であり、保管時の省スペース化を図ることができる。また、例えば電子ピアノの機種変更などによって、鍵盤装置１の鍵２の数が変更される場合、それに応じた数のハンマーサポート４を用いることにより、機種変更に柔軟に対応することができる。
【００５４】
また、電子ピアノの機種変更などの設計変更に伴い、鍵の長さが変更される場合、鍵盤装置１におけるリブ１４以外の構成部品を設計変更の前後で共通化し、リブ１４を鍵２の長さに応じて作製することにより、設計変更後の製造コストの上昇を抑制することができる。また、鍵盤シャーシ３の前レール１１、中レール１２および後レール１３が互いに独立しているので、それらのレール１１、１２、１３の前後方向の間隔を自由に設定できるとともに、中レール１２に取り付けられた筬中２３の位置を、前レール１１と後レール１３の間で、自由に設定することができる。したがって、鍵の長さや揺動の支点位置の変更などに柔軟に対応し、設計の自由度を向上させることができる。
【００５５】
また、中レール１２には、棚板８に当接する脚部１２ｂが設けられており、この脚部１２ｂにより、筬中載置部１２ａの剛性を補強するとともに、棚板８との間のスペースを一定に保ちながら、筬中載置部１２ａに載置された筬中２３を、安定した状態に保持することができる。これにより、筬中２３に支持される複数の鍵の高さの均一性および良好なタッチ感を維持することができる。
【００５６】
なお、本発明は、説明した上記実施形態に限定されることなく、種々の態様で実施することができる。例えば、実施形態では、ハンマーサポート４の構成材料として、ＡＢＳ樹脂を例示したが、ハンマーサポート４の構成材料はこれに限定されるものではなく、十分な剛性を確保できる合成樹脂を含む材料であれば、種々のものを採用することが可能である。
【００５７】
例えば、カーボン繊維やガラス繊維、アラミド繊維などの強化材と、フェノール樹脂やエポキシ樹脂、ポリエステル樹脂などの合成樹脂などで構成された繊維強化プラスチックを採用することも可能である。このような繊維強化プラスチックをハンマーサポート４の構成材料として採用することにより、材料自体が有する高い剛性特性により、ハンマーサポート４の剛性をより一層高めることができる。また、このように、ハンマーサポート４の剛性を高めることができるので、仕切壁３２の数を削減することが可能であり、それにより、ハンマーサポートの軽量化を図ることができる。
【００５８】
また、実施形態で示した鍵盤装置１の鍵盤シャーシ３やハンマーサポート４の細部の構成などは、あくまで例示であり、本発明の趣旨の範囲内で適宜、変更することができる。
【符号の説明】
【００５９】
１    鍵盤装置
２    鍵
３    鍵盤シャーシ
８    棚板
１１    前レール
１２    中レール
１２ａ  筬中載置部
１２ｂ  脚部
１３    後レール
１４    リブ（連結部材）
２３    筬中
２４    バランスピン
２７    バランスピン孔
【図１】
0005890691.tif 000002
【図２】
0005890691.tif 000003
【図３】
0005890691.tif 000004
【図４】
0005890691.tif 000005
【図５】
0005890691.tif 000006
【図６】
0005890691.tif 000007
【図７】
0005890691.tif 000008